(57)【要約】【課題】物体の乾燥機能と、空気清浄機能とを併せ持つドライヤーを提供すること。【解決手段】このドライヤーは、ドライヤー本体６０と、設置台とを備え、ドライヤー本体６０のハウジング１内に、ファンと、ヒータ３と、イオン発生装置４を設置する。上記ファンは、ハウジング１の吸込口１４から吹出口１５までの空気の流れを生成し、ヒータ３は、上記空気を加熱し、イオン発生装置４は、上記空気の流れにイオンを放出する。ドライヤー本体６０は、操作部１０を有し、操作部１０によって、ファンを低出力駆動し、ヒータ３を停止し、かつ、イオン発生装置４を駆動する空気清浄モードの運転を選択できるようになっている。【選択図】図１
2013000275.tif 000002
【特許請求の範囲】
【請求項１】
吸込口と、吹出口とを有するハウジングと、
低出力駆動と、その低出力駆動よりも高出力の高出力駆動とが可能であると共に、上記ハウジング内に設けられて、上記吸込口から上記吹出口までの空気の流れを生成するファンと、
上記ハウジング内に設けられて、上記空気を加熱するヒータと、
上記ハウジング内に設けられて、正イオンと負イオンとのうちの少なくとも一方のイオンを上記空気の流れに放出するためのイオン発生装置と、
設置部と、
上記ファンを上記低出力駆動し、上記ヒータを停止し、かつ、上記イオン発生装置を駆動する空気清浄モードの運転を選択する空気清浄モード選択手段と
を備えることを特徴とするドライヤー。
【請求項２】
請求項１に記載のドライヤーにおいて、
上記設置部は、上記吹出口を一定の方向に向けて上記ハウジングの位置および姿勢を定めて設置できるように構成されていることを特徴とするドライヤー。
【請求項３】
請求項１または２に記載のドライヤーにおいて、
上記設置部は、上記ハウジングを設置する設置台を含んでいることを特徴とするドライヤー。
【請求項４】
請求項３に記載のドライヤーにおいて、
上記設置台は、その設置台に上記ハウジングを互いに異なる複数の姿勢で設置可能であることを特徴とするドライヤー。
【請求項５】
請求項４に記載のドライヤーにおいて、
上記設置台は、上記ハウジングを連続的に略全方位に姿勢を変えることができるように構成されていることを特徴とするドライヤー。
【請求項６】
請求項１から５までのいずれか一項に記載のドライヤーにおいて、
上記空気清浄モード選択手段は、一つの選択スイッチから構成されていることを特徴とするドライヤー。
【請求項７】
請求項１から６までのいずれか一項に記載のドライヤーにおいて、
上記ハウジングが上記設置部により設置されているか否かを検出するための位置センサと、
上記ファン、上記ヒータおよび上記イオン発生装置の駆動を制御する制御部と
を備え、
上記制御部は、上記位置センサから上記ハウジングが上記設置部により設置されたことを表す信号を受けると、自動的に、上記ヒータを停止すると共に、上記ファンを上記低出力駆動し、かつ、上記イオン発生装置を駆動することを特徴とするドライヤー。
【請求項８】
請求項７に記載のドライヤーにおいて、
上記制御部は、上記位置センサからの信号に基づいて上記ハウジングが上記設置部により設置されている時間を計測するタイマを備え、
上記制御部は、上記タイマが計測する時間が、予め定められた時間になると、上記ファンおよび上記イオン発生装置を停止させることを特徴とするドライヤー。
【請求項９】
請求項１から８までのいずれか一項に記載のドライヤーにおいて、
上記イオン発生装置は、正イオンおよび負イオンの両方を、上記空気の流れに放出することを特徴とするドライヤー。
【請求項１０】
請求項９に記載のドライヤーにおいて、
上記ヒータを駆動すると共に、上記ファンを上記高出力駆動し、かつ、上記イオン発生装置を駆動する除電熱風モードを選択する除電熱風モード選択手段を有していることを特徴とするドライヤー。
【請求項１１】
請求項７または８に記載のドライヤーにおいて、
上記制御部は、
上記ヒータを駆動すると共に、上記ファンを上記高出力駆動し、かつ、上記イオン発生装置を駆動する除電熱風モードと、
上記ヒータを停止すると共に、上記ファンを上記低出力駆動し、かつ、上記イオン発生装置を駆動する空気清浄モードと、
上記ヒータを停止すると共に、上記ファンを上記高出力駆動し、かつ、上記イオン発生装置を駆動する除電冷風モード
のうちの一つを選択して運転することが可能であり、
上記除電熱風モード、上記空気清浄モード、上記除電冷風モードのいずれが運転しているのかを表示する表示部を備えることを特徴とするドライヤー。
【請求項１２】
請求項１１に記載のドライヤーにおいて、
上記制御部は、さらに、
上記ヒータを駆動すると共に、上記ファンを上記高出力駆動し、かつ、上記イオン発生装置を停止する熱風モードと、
上記ヒータを停止すると共に、上記ファンを上記高出力駆動し、かつ、上記イオン発生装置を停止する冷風モード
の制御が可能であり、
上記表示部は、さらに、上記熱風モードおよび冷風モードの表示が可能であることを特徴とするドライヤー。
【発明の詳細な説明】
【技術分野】
【０００１】
本発明は、ドライヤーに関する。
【背景技術】
【０００２】
従来、ドライヤーとしては、特開２００２−１９１４２６号公報（特許文献１）に記載されているものがある。
【０００３】
このドライヤーは、マイナスイオン発生部を有し、マイナスイオンを発生できるようになっている。このドライヤーは、ドライヤーからの風に、マイナスイオンを含有させて、その風に含有させたマイナスイオンによって、毛髪のトリートメント行い得るようにしている。
【先行技術文献】
【特許文献】
【０００４】
【特許文献１】特開２００２−１９１４２６号公報
【発明の概要】
【発明が解決しようとする課題】
【０００５】
しかしながら、上記従来のドライヤーは、ドライヤー本体の機能である毛髪トリートメントとしての機能しか持っていない。
【０００６】
本発明者は、ドライヤーと、空気清浄機とが、共通のファンという構成要素を持っていることに着目して、ドライヤーを空気清浄機として機能させることを着想したのである。そして、本発明者は、そのようなドライヤーを実現できれば、全く新しい商品需要を生み出すことができ、かつ、ドライヤーの電化製品としての、新たな側面、価値の再発見、更には、ドライヤーの技術的価値に、革新をもたらすことができることに気が付いたのである。
【０００７】
詳しくは、ドライヤーは、寝室における鏡台の周辺や、洗面所で使用されることが多い。ここで、寝室においては、人が睡眠時に長時間滞在することになり、睡眠時に、空気の清浄が行われることが好ましい。
【０００８】
また、洗面所は、水跳や、風呂場からの蒸気等によって、湿度が高く、雑菌や、かびが繁殖し易い環境にある。したがって、空気清浄機で、それらの雑菌や、かびの繁殖を抑えることが好ましい。しかしながら、洗面所は、狭くて、物が多いことが多く、別途空気清浄機を、配置するスペースを確保しにくい場合がある。
【０００９】
したがって、別途、空気清浄機を購入することなく、寝室の空気を清浄することができると好ましく、また、洗面所のかびや雑菌を、家電製品を増やさずに、死滅させることが所望されている。
【００１０】
また、ドライヤーは、せいぜい一時間程度しか使用されない家電製品であり、ドライヤーとして使用されない時間、他の用途で使用できれば、ドライヤーの使用頻度を大きくできて、ドライヤーの対費用効果を格段に大きくできる。
【００１１】
しかしながら、上述のように、上記従来のドライヤーを含めて従来のドライヤーで、空気清浄機として機能可能なものは、存在していない。
【００１２】
そこで、本発明の課題は、物体（髪や衣類等）の乾燥機能と、空気清浄機能とを併せ持つドライヤーを提供することにある。
【課題を解決するための手段】
【００１３】
上記課題を解決するため、この発明のドライヤーは、
吸込口と、吹出口とを有するハウジングと、
低出力駆動と、その低出力駆動よりも高出力の高出力駆動とが可能であると共に、上記ハウジング内に設けられて、上記吸込口から上記吹出口までの空気の流れを生成するファンと、
上記ハウジング内に設けられて、上記空気を加熱するヒータと、
上記ハウジング内に設けられて、正イオンと負イオンとのうちの少なくとも一方のイオンを上記空気の流れに放出するためのイオン発生装置と、
設置部と、
上記ファンを上記低出力駆動し、上記ヒータを停止し、かつ、上記イオン発生装置を駆動する空気清浄モードの運転を選択する空気清浄モード選択手段と
を備えることを特徴としている。
【００１４】
本発明によれば、ファンを高出力駆動し、ヒータを駆動または非駆動にし、かつ、イオン発生装置を駆動または非駆動にすることによって、物体（例えば、髪や、衣類等）の乾燥を行うことができる。一方、本発明によれば、空気清浄モード選択手段によって空気清浄モードを選択することによって、ファンを低出力駆動し、ヒータを非駆動にし、かつ、イオン発生装置を駆動することによって、ドライヤーを空気清浄機として機能させることができる。
【００１５】
したがって、例えば、ドライヤーが、寝室の鏡台の周辺に設置されている場合に、別途、空気清浄機を購入することなく、睡眠時等に、寝室の空気を清浄することができる。また、例えば、ドライヤーが、洗面所等の湿気が多い箇所に配置されている場合には、ドライヤーを、髪の乾燥に使用しない期間に、空気清浄機として機能させることができて、洗面所が狭い場合であっても、別途、大きな配置スペースが必要な空気清浄機を配置することがなく、洗面所の雑菌やカビの繁殖を抑制することができる。また、ドライヤーが、それ以外の場所に配置されている場合でも、ドライヤーを、髪の乾燥に使用しない期間に、ドライヤーが配置されている場所の空気の清浄のために使用することができる。
【００１６】
また、本発明によれば、ドライヤーを、髪の乾燥に使用しない期間に、空気清浄機として機能させることができるから、ドライヤーの使用頻度を大きくできて、ドライヤーの対費用効果を格段に大きくすることができる。
【００１７】
また、一実施形態では、
上記設置部は、上記吹出口を一定の方向に向けて上記ハウジングの位置および姿勢を定めて設置できるように構成されている。
【００１８】
上記設置部としては、例えば、設置台や、ハウジングに形成されたフックや、ハウジングに形成された吸盤や、ハウジングの平面形状の底面等（この場合、吸込口は、ハウジングの側面にある）がある。
【００１９】
上記実施形態によれば、設置部が、吹出口を一定の方向に向けてハウジングの位置および姿勢を定めて設置できるように構成されているから、空気清浄モードにおいて、吹出口から効率よく、正イオンと負イオンとのうちの少なくとも一方のイオンを吹き出すことができる。
【００２０】
また、一実施形態では、
上記設置部は、上記ハウジングを設置する設置台を含んでいる。
【００２１】
上記実施形態によれば、上記設置部は、上記ハウジングを設置する設置台を含んでいるから、上記ハウジングを、安定させて設置できる。
【００２２】
また、一実施形態では、
上記設置台は、その設置台に上記ハウジングを互いに異なる複数の姿勢で設置可能である。
【００２３】
上記実施形態によれば、ドライヤーからの風の風向きを、使用でより好適な向きにすることができる。
【００２４】
また、一実施形態では、
上記設置台は、上記ハウジングを連続的に略全方位に姿勢を変えることができるように構成されている。
【００２５】
上記実施形態によれば、ハウジングが、設置台に対して連続的に全方位に姿勢を変えることができるから、ユーザの好みにより、ドライヤーの向きを自在に変えることができる。
【００２６】
また、一実施形態では、
上記空気清浄モード選択手段は、一つの選択スイッチから構成されている。
【００２７】
上記実施形態によれば、ユーザは、ワンタッチで空気清浄モードを実現できる。
【００２８】
また、一実施形態では、
上記ハウジングが上記設置部により設置されているか否かを検出するための位置センサと、
上記ファン、上記ヒータおよび上記イオン発生装置の駆動を制御する制御部と
を備え、
上記制御部は、上記位置センサから上記ハウジングが上記設置部により設置されたことを表す信号を受けると、自動的に、上記ヒータを停止すると共に、上記ファンを上記低出力駆動し、かつ、上記イオン発生装置を駆動する。
【００２９】
上記実施形態によれば、ハウジングによって画定されたドライヤー本体を、設置部により設置するだけで自動的に空気清浄機として機能させることができる。
【００３０】
また、一実施形態では、
上記制御部は、上記位置センサからの信号に基づいて上記ハウジングが上記設置部により設置されている時間を計測するタイマを備え、
上記制御部は、上記タイマが計測する時間が、予め定められた時間になると、上記ファンおよび上記イオン発生装置を停止させる。
【００３１】
上記実施形態によれば、ドライヤーを空気清浄機として機能させているときに、ドライヤーがつけっぱなしになることを防止できて、無駄な電力を消費することを防止できる。
【００３２】
また、一実施形態では、
上記イオン発生装置は、正イオンおよび負イオンの両方を、上記空気の流れに放出する。
【００３３】
上記実施形態によれば、雑菌やかびを殺菌する殺菌力を大きくすることができる。また、上記実施形態によれば、髪を乾かす風に正イオンおよび負イオンを混入することができて、正イオンおよび負イオンを含んだ風を、髪に吹き付けることができる。したがって、髪が静電気等によって帯電していても、髪の静電気を除電できて、髪のまとわりつき等を抑制できて、髪の乾燥を円滑に行うことができる。
【００３４】
また、一実施形態では、
上記ヒータを駆動すると共に、上記ファンを上記高出力駆動し、かつ、上記イオン発生装置を駆動する除電熱風モードを選択する除電熱風モード選択手段を有している。
【００３５】
上記実施形態によれば、除電熱風モード選択手段で、除電熱風モードを選択することによって、髪のまとわりつき等を抑制しながら、髪を短時間で乾燥することができる。
【００３６】
また、一実施形態では、
上記制御部は、
上記ヒータを駆動すると共に、上記ファンを上記高出力駆動し、かつ、上記イオン発生装置を駆動する除電熱風モードと、
上記ヒータを停止すると共に、上記ファンを上記低出力駆動し、かつ、上記イオン発生装置を駆動する空気清浄モードと、
上記ヒータを停止すると共に、上記ファンを上記高出力駆動し、かつ、上記イオン発生装置を駆動する除電冷風モード
のうちの一つを選択して運転することが可能であり、
上記除電熱風モード、上記空気清浄モード、上記除電冷風モードのいずれが運転しているのかを表示する表示部を備える。
【００３７】
上記実施形態によれば、表示部の表示を確認するだけで、除電熱風モードと、空気清浄モードと、除電冷風モードとを判別することができる。
【００３８】
また、一実施形態では、
上記制御部は、さらに、
上記ヒータを駆動すると共に、上記ファンを上記高出力駆動し、かつ、上記イオン発生装置を停止する熱風モードと、
上記ヒータを停止すると共に、上記ファンを上記高出力駆動し、かつ、上記イオン発生装置を停止する冷風モード
の制御が可能であり、
上記表示部は、さらに、上記熱風モードおよび冷風モードの表示が可能である。
【００３９】
上記実施形態によれば、表示部の表示を確認するだけで、除電熱風モードと、空気清浄モードと、除電冷風モードと、熱風モードと、冷風モードとを判別することができる。
【発明の効果】
【００４０】
本発明によれば、物体（髪や衣類等）の乾燥機能と、空気清浄機能とを適宜使い分けできるドライヤーを実現できる。
【図面の簡単な説明】
【００４１】
【図１】本発明の一実施形態のドライヤーのドライヤー本体の基本構成を示す模式図である。
【図２】上記ドライヤー本体の制御部と、各部位との入出力の関係を示すブロック図である。
【図３】この実施形態のドライヤーが備える設置台を示す斜視図である。
【図４】ドライヤー本体を吸込口側から見たときの斜視図である。
【図５】この実施形態のドライヤーの使用形態を説明するための図である。
【図６】この実施形態のドライヤーの使用形態を説明するための図である。
【図７】この実施形態のドライヤーの使用形態を説明するための図である。
【図８】本実施形態のドライヤーの制御の一例を説明するフローチャートであり、連携モードの制御の一例を示すフローチャートである。
【図９】変形例の設置台を、上方からみたときの図である。
【図１０】変形例の設置台の断面の一部を示す図である。
【図１１】図９に示す変形例の設置台に設置されるドライヤー本体を示す図である。
【発明を実施するための形態】
【００４２】
以下、本発明を図示の形態により詳細に説明する。尚、以下の実施形態において、上、下、上面、下面、水平面、上側、下側等、鉛直方向や、水平方向を示す文言が使用されたとき、それは、以下に詳述する設置台が、水平面に設置された状態での、方向を示しているものとする。
【００４３】
図１は、本発明の一実施形態のドライヤーのドライヤー本体６０の基本構成を示す模式図である。
【００４４】
図１に示すように、このドライヤー本体６０は、ハウジング１と、送風ユニット２と、ヒータ３と、イオン発生装置４と、制御部５と、位置センサ６と、温度センサ７と、ヒータ制御装置８と、表示部９と、操作部１０とを備える。
【００４５】
上記ハウジング１は、筒状の本体部１１と、取手部１２とを有し、取手部１２は、本体部１１に接続している。上記本体部１１は、吸込口１４と、吹出口１５とを有し、吸込口１４は、本体部１１の延在方向の一端部に位置する一方、吹出口１５は、本体部１１の延在方向の他端部に位置している。
【００４６】
上記取手部１２は、関節１６により、本体部１１に対して折り畳み可能になっている。上記取手部１２は、図１に示す収容配置では、本体部１１に沿うように延在する一方、取手の機能を発揮するときには、本体部１１の軸方向に垂直な方向に延在するようになっている。
【００４７】
上記送風ユニット２は、ハウジング１の本体部１１内に配置されている。上記送風ユニットは、ＤＣ軸流ファン（直流軸流ファン：以下、単にファンという）と、ＤＣファンモータ（以下、単にファンモータという）とを備え、ファンは、ファンモータによって駆動されるようになっている。上記ファンは、ハウジング１の本体部１１内に、吸込口１４から吹出口１５までの空気の流れを生成するようになっている。上記制御部５によるファンモータの制御により、上記ファンは、多段出力駆動を可能にする周知の駆動回路により、高出力駆動と、その高出力駆動よりも低出力の低出力駆動とをできるようになっている。
【００４８】
上記ヒータ３は、ハウジング１の本体部１１内に位置している。上記ヒータ３は、吸込口１４から吹出口１５までの空気の流れの流路内であって、上記ファンおよび上記ファンモータよりも上記空気の流れの下流に位置している。上記ヒータ３は、吸込口１４から取り込んだ空気を加熱して温風を生成するようになっている。
【００４９】
上記イオン発生装置４は、特許第３６８０１２１号に記載されている著名のイオン発生装置で構成され、プラスとマイナスの著名なＰＣＩ（プラズマクラスターイオン）を放出できるようになっている。上記イオン発生装置４は、上記ファンおよび上記ファンモータよりも上記空気の流れの下流側で、かつ、ヒータ３よりも上記空気の流れの上流側に位置している。上記イオン発生装置４は、上記空気の流れの中に正負のＰＣＩを放出するようになっている。
【００５０】
上記位置センサ６は、磁気センサからなっている。上記位置センサ６は、本体部１１内の軸方向の吸込口１４側の端部に配置されている。上記位置センサ６は、後述する設置台に内蔵された磁石の磁場を検出すると、磁場を検出したことを表す信号を、制御部５に出力するようになっている。
【００５１】
上記温度センサ７は、例えば、赤外線センサで構成され、主に髪の状態を検出する役割を担っている。上記温度センサ７は、ハウジング１の本体部１１の外面の吹出口１５の近傍に取り付けられている。上記温度センサ７は、赤外線を用いて吹出口１５からの気体が吹き付けられる吹付対象体（例えば、髪や衣類等）の温度を測定するようになっている。
【００５２】
上記ヒータ制御装置８は、接点を有している。上記ヒータ制御装置８は、制御部５からの信号を受けて、ヒータ３への電力の通遮電を行い、ヒータ３から発せされる熱量を制御するようになっている。
【００５３】
上記操作部１０は、ハウジング１の取手部１２に形成されている。上記操作部１０は、除電熱風モード選択手段、空気清浄モード選択手段、除電冷風モード選択手段、熱風モード選択手段および冷風モード選択手段を構成するボタン群（図示しない）からなっている。
【００５４】
ユーザが、操作部１０を用いて情報を入力すると、その情報は、制御部５に送られるようになっている。ユーザは、操作部１０を介して、ヒータ３を駆動すると共に、上記ファンを高出力駆動し、かつ、イオン発生装置４を駆動する除電熱風モードと、ヒータ３を停止すると共に、上記ファンを低出力駆動し、かつ、イオン発生装置４を駆動する空気清浄モードと、ヒータ３を停止すると共に、上記ファンを高出力駆動し、かつ、イオン発生装置４を駆動する除電冷風モードと、ヒータ３を駆動すると共に、上記ファンを高出力駆動し、かつ、イオン発生装置４を停止する熱風モードと、ヒータ３を停止すると共に、上記ファンを高出力駆動し、かつ、イオン発生装置４を停止する冷風モードとを、自在に切り替えできるようになっている。
【００５５】
また、ユーザは、操作部１０を介して、ドライヤーを、物体（髪、衣類等）を乾燥させる用途で使用しているときに、後述の設置台に設置した後、自動的に空気清浄モードに変換させる連携モードを選択できるようになっている。また、ユーザは、操作部１０を介して情報を入力することにより、連携モードまたは空気清浄の用途で単独で使用される際に、ドライヤー本体６０が、後述の設置台に設置されてから空気清浄機として駆動を継続する時間を入力することができるようになっている。
【００５６】
上記表示部９は、ハウジング１の取手部１２に存在している。上記表示部９は、駆動されているモード（除電熱風モード〜冷風モードのうちのいずれか）を表示するようになっている。また、表示部９は、上記連携モードが選択されているか否かを表示するようになっている。また、ドライヤー本体６０が、後述の設置台に設置されてから空気清浄機として駆動を継続する時間が入力されているときには、表示部９は、その時間を表示するようになっている。
【００５７】
上記制御部５は、ＣＰＵ（中央演算処理装置：Central Processing Unit）からなっている。上記制御部５は、プログラムおよびデータを格納する図示しないメモリにアクセスすることができるようになっている。また、制御部５と、各部とは、Ｉ／Ｆ（インターフェイス：Interface）によって、データを入出力するようになっている。上記制御部５および上記メモリは、上記空気の流れにおいて、送風ユニット２のファンよりも下流側で、かつ、ヒータ３よりも上流側に位置している。このようにして、上記制御部５の電装品およびメモリが、上記空気の流れで冷却されるようにしている。
【００５８】
図２は、上記制御部５と、各部位との入出力の関係を示すブロック図である。
【００５９】
図２に示すように、制御部５は、タイマ３０を有している。上記制御部５には、ヒータ制御装置８、ファンモータ３１、位置センサ６、温度センサ７、操作部１０、ＰＣＩ発生用高周波回路３２および表示部９が接続されている。上記制御部５は、これらの部位の夫々と、Ｉ／Ｆを介してつながっている。
【００６０】
上記制御部５は、操作部１０からの情報、位置センサ６および温度センサ７からの信号に基づいて、ヒータ３のヒータ制御装置８を制御するようになっており、ヒータ３の駆動を制御するようになっている。また、上記制御部５は、操作部１０からの情報および位置センサ６に基づいて、ファンモータ３１およびＰＣＩ発生用高周波回路３２を制御するようになっており、ファンおよびイオン発生装置４の駆動を制御するようになっている。
【００６１】
また、上記制御部５は、操作部１０を介して、後述の設置台に設置されてから空気清浄機として駆動を継続する設置時間が入力されているときには、設置時間をタイマ３０で測定して、その入力時間の経過後、ドライヤーの空気清浄機能を停止すべく、各部位の駆動を停止させるようになっている。また、上記制御部５は、表示部９に表示情報を出力するようになっている。
【００６２】
図３は、この実施形態のドライヤーが備える設置台３５を示す斜視図である。
【００６３】
この実施形態のドライヤーは、設置台３５を備え、ドライヤー本体６０（図１参照）が、設置台３５に設置可能になっている。
【００６４】
図３に示すように、上記設置台３５は、上皿４０と、下皿５０とを有し、上皿４０は、下皿５０の上面に設置されるようになっている。上記上皿４０には、磁石が埋め込まれている。上記上皿４０は、凹面４１と、貫通穴４２と、レール状（畝状）の突出部４３と、凸面４７と、断面矩形状の溝４５とを有する。上記凹面４１は、上皿４０の上面に存在している。上記上皿４０は、環状部材で、貫通穴４２は、上皿４０の中央部に存在し、貫通穴４２は、上皿４０を上皿４０の軸方向に貫通している。
【００６５】
上記レール状の突出部４３は、上皿４０を上から見たときの平面図において、凹面４１の縁を表す円の直径方向に、貫通穴４２の存在箇所を除いて、一直線上に、形成されている。また、上記溝４５は、上皿４０を下から見たときの平面図において、凸面４７の縁を表す円の直径方向に、貫通穴４２の存在箇所を除いて、凸面４７を横断するように一直線上に形成されている。上記溝４５は、上皿４０を上から見たときの平面図において、レール状の突出部４３の延在方向に略直交する方向に延在している。
【００６６】
上記下皿５０は、凹面５１と、レール状（畝状）の突出部５３と、貫通穴５５と、平面状の設置面５７とを有する。上記凹面５１は、下皿５０の上面に形成されている。また、上記レール状の突出部５３は、下皿５０を上から見たときの平面図において、凹面５１の縁を表す円の直径方向に、一直線上に、形成されている。
【００６７】
上記凹面５１は、上皿４０の凸面４７に対応する形状を有しており、レール状の突出部５３は、上皿４０の溝４５に対応する形状を有している。上記凹面５１は、上皿４０の凸面４７に当接するようになっており、レール状の突出部５３は、上皿４０の溝４５に嵌め込まれるようになっている。このような構造により、上皿４０は、下皿５０に対して、下皿５０のレール状の突出部５３の延在方向に摺動自在になっており、静止摩擦力によって、上皿４０は、下皿５０に対して、自在の方向に傾けられた状態で、下皿５０の上面に設置されることができるようになっている。
【００６８】
上記設置面５７は、洗面台や、鏡台等にある水平面上に設置されることが予定されている。また、上記貫通穴５５は、上皿４０が下皿５０に対して如何なる方向を向けて設置されたとしても、貫通穴４２に連通するようになっている。このことから、上皿４０が下皿５０に対して如何なる方向を向けて設置されたとしても、設置台３５の外部の空気が、貫通穴５５から設置台３５の内部に入り込んで、更に、貫通穴４２から設置台３５の外部に、抜け出ることが可能になっている。上記ドライヤー本体６０を設置台３５に設置したときに、ドライヤー本体６０が如何なる姿勢であっても、貫通穴４２の少なくとも一部が、ドライヤー本体６０の吸込口１４に面することができるようになっている。このようにして、ドライヤー本体６０を設置台３５に設置した際にも、ドライヤーでの空気の取り込みが円滑に行えるようにしている。
【００６９】
図４は、ドライヤー本体６０を吸込口１４側から見たときの斜視図である。
【００７０】
図４に示すように、ドライヤー本体６０は、下面６７と、溝６１とを有し、下面６７は、ハウジング１の本体部１１の軸方向の吸込口１４側に位置している。上記下面６７は、凸面であって、設置台３５の凹面４１（図３参照）に対応する形状をしている。
【００７１】
上記溝６１は、下面６７に存在している。上記溝６１は、下面６７を上から見たときの平面図において、下面６７の縁を表す円６８の直径方向に、吸込口１４の存在箇所を除いて、下面６７を横断するように一直線上に形成されている。上記溝６１は、上皿４０の凹面４１のレール状の突出部４３（図３参照）に対応する形状を有している。上記レール状の突出部４３は、ドライヤー本体６０の溝６１に嵌め込まれるようになっている。このような構造により、ドライヤー本体６０は、上皿４０に対して、上皿４０のレール状の突出部４３の延在方向に摺動自在になっており、静止摩擦力によって、ドライヤー本体６０は、上皿４０に対して、自在の方向に傾けられた状態で、上皿４０の上面に設置されることができるようになっている。
【００７２】
図３および図４を参照して、上皿４０は、水平面に設置される下皿５０に対して、下皿５０のレール状の突出部５３の方向に連続的に傾斜可能に設置でき、更に、ドライヤー本体６０は、上皿４０に対して、レール状の突出部５３に直交する方向に連続的に傾斜可能に設置できるようになっている。このようにして、ドライヤー本体６０を、水平面に対して自在な方向に傾斜させることができるようになっており、ドライヤー本体６０（ハウジング１）が、設置台３５に対して連続的に全方位に姿勢を変えることができるようになっている。
【００７３】
上記ドライヤー本体６０が、設置台３５に設置されている状態では、ドライヤー本体６０が如何なる方向を向いていても、ドライヤー本体６０の位置センサ６は、設置台３５の上皿４０に埋め込まれている磁石の磁場を検出できるようになっている。
【００７４】
図５〜図７は、この実施形態のドライヤーの使用形態を説明するための図である。
【００７５】
詳しくは、図５は、ユーザが、ドライヤー本体６０を、手に持って使用するときのドライヤー本体６０を示す図である。図５に示すように、ユーザは、ドライヤー本体６０を手に持って使用するとき、ハウジング１の取手部１２を、ハウジング１の本体部１１の延在方向に略直交する方向に延在させるようになっている。
【００７６】
また、図６は、ユーザが、ドライヤーを空気清浄機として使用する場合での、設置台３５に対するドライヤー本体６０の設置の一態様を示す図である。この態様では、ドライヤー本体６０のハウジング１の本体部１１の軸方向が、設置台３５の下皿の軸方向（鉛直方向）に略一致している。
【００７７】
また、図７は、ユーザが、ドライヤーで髪の乾燥を行う場合での、設置台３５に対するドライヤー本体６０の設置の一態様を示す図である。この態様では、ドライヤー本体６０のハウジング１の本体部１１の軸方向が、設置台３５の下皿の軸方向（鉛直方向）に対して傾斜している。ドライヤー本体６０が、このように傾斜している状態で、頭をドライヤー本体６０の吹出口１５に向けることで、ハンドフリーで、髪を乾燥させることが可能になる。
【００７８】
図８は、本実施形態のドライヤーの制御の一例を説明するフローチャートであり、連携モードの制御の一例を示すフローチャートである。
【００７９】
詳しくは、ユーザの操作部１０を介する入力により、ドライヤー本体６０を、手に持っていずれかの乾燥モードで使用している際に、ドライヤー本体６０を、設置台３５に設置した場合に、自動的に、ドライヤーの使用モードが、空気清浄モードに切り替えられ、さらに、空気清浄モードに切り替えられてから所定時間後に、ドライヤーの駆動が終了する場合のフローチャートを示す図である。
【００８０】
尚、この制御を行う前段階として、ユーザは、操作部１０を介して、ドライヤー本体６０を、手に持っていずれかの乾燥モードで使用している際に、ドライヤー本体６０を、設置台３５に設置した場合に、自動的に、ドライヤーの使用モードが、空気清浄モードに切り替える情報を入力したものとする。また、ドライヤー本体６０を設置したときから所定時間後（例えば、所定時間は、５時間や、５時間半や、６時間等、如何なる時間に設定されることもできる）に、ドライヤーが停止して、ドライヤーの空気清浄機能が停止する情報を入力したものとする。
【００８１】
上記操作部１０を介して、制御をスタートさせると、まず、図８のステップＳ１で、いずれかの乾燥モード（除電熱風モード、除電冷風モード、熱風モードまたは冷風モード）が選択されて、髪や衣類等の乾燥を行う。次にステップＳ２で、位置センサ６が、磁場を検出したか否かを判断する。このステップＳ２で、位置センサ６が、磁場を検出していないと判断すると、再度ステップＳ２を行う。一方、ステップＳ２で、位置センサ６が、磁場を検出したと判断すると、ステップＳ３で、上記いずれかの乾燥モードを、自動的に空気清浄モードに切り替えると同時に、タイマ３０が、計測を開始する。
【００８２】
次に、ステップＳ４で、タイマ３０の計測時間が、ユーザが入力した所定時間を経過しているか否かを判断する。このステップＳ４で、計測時間が所定時間経過前であると判断すると、再度ステップＳ４を行う。一方、ステップＳ４で、計測時間が所定時間を経過したと判断すると、ステップＳ５で、ファンと、イオン発生装置４を、停止して、制御がエンドになる。
【００８３】
上記実施形態のドライヤーによれば、ファンを高出力駆動し、ヒータ３を駆動または非駆動にし、かつ、イオン発生装置４を駆動または非駆動にすることによって、物体（例えば、髪や、衣類等）の乾燥を行うことができる。一方、上記実施形態のドライヤーによれば、空気清浄モード選択手段によって空気清浄モードを選択することによって、ファンを低出力駆動し、ヒータ３を非駆動にし、かつ、イオン発生装置４を駆動することによって、ドライヤーを空気清浄機として機能させることができる。
【００８４】
したがって、例えば、ドライヤーが、寝室の鏡台の周辺に設置されている場合に、別途、空気清浄機を購入することなく、睡眠時等に、寝室の空気を清浄することができる。また、例えば、ドライヤーが、洗面所等の湿気が多い箇所に配置されている場合には、ドライヤーを、髪の乾燥に使用しない期間に、空気清浄機として機能させることができて、洗面所が狭い場合であっても、別途、大きな配置スペースが必要な空気清浄機を配置することがなく、洗面所の雑菌やカビの繁殖を抑制することができる。また、ドライヤーが、それ以外の場所に配置されている場合でも、ドライヤーを、髪の乾燥に使用しない期間に、ドライヤーが配置されている場所の空気の清浄のために使用することができる。
【００８５】
また、上記実施形態のドライヤーによれば、ドライヤーを、髪の乾燥に使用しない期間に、空気清浄機として機能させることができるから、ドライヤーの使用頻度を大きくできて、ドライヤーの対費用効果を格段に大きくすることができる。
また、上記実施形態のドライヤーによれば、設置台３５が、吹出口１４を一定の方向に向けてハウジング１の位置および姿勢を定めて設置できるように構成されているから、空気清浄モードにおいて、吹出口から空気を清浄する空間に効率よくイオンを吹き出すことができる。
【００８６】
また、上記実施形態のドライヤーによれば、上記設置部が、ハウジング１を設置する設置台３５を含んでいるから、ハウジング１を、安定させて設置できる。
【００８７】
また、上記実施形態のドライヤーによれば、設置台３５が、その設置台３５にハウジング１を互いに異なる複数の姿勢で設置可能であるから、ドライヤーからの風の風向きを、使用でより好適な向きにすることができる。
【００８８】
また、上記実施形態のドライヤーによれば、設置台３５が、ハウジング１を連続的に略全方位に姿勢を変えることができるように構成されているから、ユーザの好みにより、ドライヤーの向きを自在に変えることができる。
【００８９】
また、上記実施形態のドライヤーによれば、制御部５が、位置センサ６からハウジング１が設置台３５により設置されたことを表す信号を受けると、自動的に、ヒータ３を停止すると共に、ファンを低出力駆動し、かつ、イオン発生装置４を駆動するようにすることができる。したがって、ハウジング１によって画定されたドライヤー本体６０を、設置台３５により設置するだけで自動的に空気清浄機として機能させることができる。
【００９０】
また、上記実施形態のドライヤーによれば、制御部５が、位置センサ６からの信号に基づいてハウジング１が設置台３５により設置されている時間を計測するタイマ３０を備え、制御部５が、タイマ３０が計測する時間が、予め定められた時間になると、ファンおよびイオン発生装置４を停止させることができる。したがって、ドライヤーを空気清浄機として機能させているときに、ドライヤーがつけっぱなしになることを防止できて、無駄な電力を消費することを防止できる。
【００９１】
また、上記実施形態のドライヤーによれば、イオン発生装置４が、正イオンおよび負イオンの両方を、放出するようになっているから、雑菌やかびを殺菌する殺菌力を大きくすることができる。また、上記実施形態のドライヤーによれば、髪を乾かす風に正イオンおよび負イオンを混入することができて、正イオンおよび負イオンを含んだ風を、髪に吹き付けることができる。したがって、髪が静電気等によって帯電していても、髪の静電気を除電できて、髪のまとわりつき等を抑制できて、髪の乾燥を円滑に行うことができる。
【００９２】
また、上記実施形態のドライヤーによれば、上記除電熱風モード選択手段で、除電熱風モードを選択することによって、髪のまとわりつき等を抑制しながら、髪を短時間で乾燥することができる。
【００９３】
また、上記実施形態のドライヤーによれば、表示部９の表示を確認するだけで、除電熱風モードと、空気清浄モードと、除電冷風モードとを判別することができ、また、表示部９の表示を確認するだけで、除電熱風モードと、空気清浄モードと、除電冷風モードと、熱風モードと、冷風モードとを判別することができる。
【００９４】
尚、上記実施形態のドライヤーでは、イオン発生装置４が、正、負のプラズマクラスターイオン（ＰＣＩ）を、放出するようになっていたが、この発明では、イオン発生装置は、プラズマクラスターイオンでない、正イオンおよび負のイオンの両方を発生するようになっていても良い。
【００９５】
また、上記実施形態のドライヤーでは、イオン発生装置４が、正、負のイオンの両方を放出するようになっていた。しかしながら、この発明では、イオン発生装置が、正のイオンか、または、負のイオンのいずれか一方のイオンしか放出しない構成であっても良く、上記実施形態で説明したドライヤーにおいて、正、負両イオンを放出できるイオン発生装置４を、正のイオンか、または、負のイオンのいずれか一方のイオンしか放出しないイオン発生装置に置き換えるだけで、そのようなドライヤーを実現することができる。
【００９６】
また、上記実施形態のドライヤーでは、ハウジング１の本体部１１内に、吸込口１４から気体と共に吸い込まれる異物（花粉や埃等）を捕獲するフィルタが存在していなかったが、この発明では、ハウジングの本体部内に、吸込口から気体と共に吸い込まれる異物（花粉や埃等）を捕獲する着脱可能なフィルタを設けても良い。
【００９７】
また、上記実施形態のドライヤーでは、空気清浄用途の際、ファンを、乾燥用途で使用しているときよりも低出力で、駆動するようにしたが、この発明では、空気清浄用途の際においても、ファンを、乾燥用途で使用している出力と同じ出力で駆動するようにしても良い。
【００９８】
また、上記実施形態のドライヤーでは、表示部９が存在したが、この発明のドライヤーは、表示部を有していなくても良い。
【００９９】
また、上記実施形態のドライヤーでは、ファンが、軸流ファンであったが、この発明では、ファンは、遠心ファンであっても良い。
【０１００】
また、上記実施形態のドライヤーでは、ドライヤーを、物体（髪や、衣類等）を、乾燥する用途で使用する際、イオン発生装置４を、駆動することも、駆動しないことも可能であった。しかしながら、この発明では、ドライヤーを、物体（髪や、衣類等）を、乾燥する用途で使用する際、イオン発生装置を、駆動しないようにしても良く、また、逆に、ドライヤーを、物体（髪や、衣類等）を、乾燥する用途で使用する際、イオン発生装置を、必ず駆動するようにしても良い。
【０１０１】
また、上記実施形態のドイラヤーでは、設置部が、設置台３５であったが、この発明では、設置部は、設置台でなくて、ドライヤー本体に、形成された、フックや、吸盤等であっても良く、これらのフック、吸盤等で、ドライヤー本体を壁に掛けることができるようにしても良い。このようにすると、ハンドフリーで髪を、容易に乾かすことができる。また、この発明では、設置部は、設置台でなくて、水平面に安定的に載置できる形状、例えば、ハウジング（ドライヤー本体）の平面からなる底面形状であっても良い。また、本発明では、設置部を、設置台、フック、吸盤、ハウジング（ドライヤー本体）の平面からなる底面形状のうちの二以上の構成要素で構成しても良い。尚、この発明が、ドライヤー本体のみで構成されても良いことは言うまでもない。
【０１０２】
また、上記実施形態のドライヤーでは、位置センサ６が、磁気センサであったが、この発明では、位置センサ６は、光学センサで構成されても良い、そして、水平面からの距離や、壁からの距離等を、光学センサで測定することにより、設置状態を検出しても良い。また、この発明では、設置部が、ドライヤー本体（ハウジング）の平面状の底面を含む場合に、位置センサを、その底面から突出するボタンで構成しても良い。そして、その底面が、水平面に載置されたときに、そのボタンが水平面からの垂直抗力で押圧されて、ドライヤー本体（ハウジング）内に沈み込むことによって、ドライヤー本体（ハウジング）が設置状態になったことを検出するようにしても良い。
【０１０３】
また、上記実施形態のドライヤーでは、上記操作部１０が、除電熱風モード選択手段、空気清浄モード選択手段、除電冷風モード選択手段、熱風モード選択手段および冷風モード選択手段を構成するボタン群（図示しない）からなっていた。ここで、各モード選択手段（例えば、空気清浄モード選択手段）の夫々を、一のボタンで構成するようになっていても良く、複数のボタンで構成するようになっていても良い。ここで、各モード選択手段（例えば、空気清浄モード選択手段や、上記連携モードを選択する連携モード選択手段等）の夫々を、一のボタンで構成するようにすると、ワンタッチで空気清浄モード等の各モードを実現できる。
【０１０４】
また、上記実施形態のドライヤーでは、上皿４０と、下皿５０とで、ドライヤー本体６０を、下皿５０が設置されている水平面に対して自在に傾けることができるようにしたが、この発明では、それ以外の方法で、ドライヤー本体を、水平面に対して自在に傾けることができるようにしても良い。
【０１０５】
図９は、変形例の設置台１３５を、上方からみたときの図であり、後述する図１１に示す変形例のドライヤー本体１６０を自在な姿勢で設置できる設置台１３５を、上方からみたときの図である。
【０１０６】
図９に示すように、この設置台１３５の上面は、図３に４１で示す凹面と同様な凹面１４１になっていて、円形の縁１５８からその円の中央に行くにしたがって、凹面１４１の深さが深くなっている。上記設置台１３５は、図３に４２で示す貫通穴に対応する貫通穴１４２を有している。
【０１０７】
図９に示すように、上記凹面１４１は、複数の有底の穴１５０を有している。上記複数の穴１５０は、凹面１４１の周方向に略均等に配置されている。また、上記複数の穴１５０は、図９の上面において、径方向に略均等に配置されている。尚、この明細書では、「略」は、視認において同じに見える程度を示す。
【０１０８】
図１０は、設置台１３５の断面の一部を示す図であり、穴１５０の円形の縁の直径を含むと共に、設置台１３５が水平面に設置されている状態での鉛直方向を含む平面で、設置台１３５を切断したときの切断面の一部である。
【０１０９】
図１０に示すように、上記各穴１５０は、穴１５０の底の方のスペースが広くなっており、壺状のスペースを画定している。再度、図９を参照して、参照番号１８０は、上方から見て、穴１５０のスペースが最も広がりを有している部分の縁の位置を示している。
【０１１０】
図１１は、図９に示す変形例の設置台１３５に設置されるドライヤー本体１６０を示す図である。尚、図１１においては、ドライヤー本体１６０の取手部の図示を省略している。
【０１１１】
図１１に示すように、このドライヤー本体１６０は、吸込口１１４と、吹出口１１５と、円柱状の係止部１９０とを有する。上記吸込口１１４は、ハウジング１０１の本体部１１１の側面に存在している一方、吹出口１１５は、ハウジング１０１の本体部１１１の軸方向の一端部に存在している。また、上記係止部１９０は、ハウジング１０１の本体部１１１の軸方向の他端部の端面の中央から本体部１１１の軸方向に延在している。
【０１１２】
この変形例のドライヤーは、このドライヤー本体１６０の係止部１９０を、図９に示す設置台１３５のいずれかの穴１５０に差し込んで、ドライヤー本体１６０を、設置台１３５に設置するようになっており、ドライヤー本体１６０を、設置台１３５が設置される水平面に対して自在の方向に向けることができるようになっている。
【０１１３】
この変形例のドライヤーによれば、設置台１３５を単純な構造にすることができて、簡易な構造で、ドライヤー本体１６０を、設置台１３５が設置される水平面に対して自在の方向に向けることができる。
【符号の説明】
【０１１４】
１  ハウジング
２  送風ユニット
３  ヒータ
４  イオン発生装置
５  制御部
６  位置センサ
９  表示部
１０  操作部
１４  吸込口
１５  吹出口
３０  タイマ
３５,１３５  設置台
【図１】
2013000275.tif 000003
【図２】
2013000275.tif 000004
【図３】
2013000275.tif 000005
【図４】
2013000275.tif 000006
【図５】
2013000275.tif 000007
【図６】
2013000275.tif 000008
【図７】
2013000275.tif 000009
【図８】
2013000275.tif 000010
【図９】
2013000275.tif 000011
【図１０】
2013000275.tif 000012
【図１１】
2013000275.tif 000013